(57)【特許請求の範囲】
【請求項１】
相手端末との通話機能を有する通話部と、
前記相手端末の周囲の環境を表す環境情報を取得する環境取得部と、
前記環境情報に基づいて、複数の通話パラメータの中から前記通話部に適用する通話パラメータを選択する選択部と、
前記相手端末の記憶部に格納された前記複数の通話パラメータの中から前記選択部が選択した通話パラメータを取得するパラメータ取得部と、を備える
ことを特徴とする通話装置。
【請求項２】
前記環境取得部は、前記相手端末の周囲の環境を表す前記環境情報である第１環境情報を取得する第１取得部と、自装置の周囲の環境を表す第２環境情報を取得する第２取得部とを有し、
前記選択部は、前記第１環境情報および前記第２環境情報の両方に基づいて、前記複数の通話パラメータの中から前記通話部に適用する通話パラメータを選択する
ことを特徴とする請求項１記載の通話装置。
【請求項３】
前記通話部は、所定の通話パラメータが初期値として予め適用されており、
前記選択部は、選択した前記通話パラメータに変更する
ことを特徴とする請求項１又は２記載の通話装置。
【請求項４】
前記通話部に適用されている通話パラメータを提示する提示部をさらに備える
ことを特徴とする請求項１〜３のうちいずれか１項に記載の通話装置。
【請求項５】
前記相手端末のスピーカから出力されて前記相手端末のマイクに回り込む回り込み音に基づいて、前記相手端末の周囲の環境を推定する推定処理を行う推定部をさらに備え、
前記環境取得部は、前記推定部から前記環境情報を取得する
ことを特徴とする請求項１〜４のうちいずれか１項に記載の通話装置。
【請求項６】
前記回り込み音は、通話音声である
ことを特徴とする請求項５記載の通話装置。
【請求項７】
前記回り込み音は、所定のテスト音である
ことを特徴とする請求項５記載の通話装置。
【請求項８】
前記推定部は、複数回の前記テスト音に基づいて、前記推定処理を行う
ことを特徴とする請求項７記載の通話装置。
【請求項９】
前記テスト音は、呼び出し音またはバックトーンである
ことを特徴とする請求項７記載の通話装置。
【請求項１０】
前記推定部は、前記相手端末の前記マイクに入力される前記回り込み音以外の音の音量レベルが閾値未満である場合、前記推定処理を行う
ことを特徴とする請求項５〜９のうちいずれか１項に記載の通話装置。
【請求項１１】
前記選択部に前記通話パラメータの選択を実行させる操作部をさらに備える
ことを特徴とする請求項１〜４のうちいずれか１項に記載の通話装置。
【請求項１２】
請求項１〜１１のうちいずれか１項に記載の通話装置と、
前記通話装置との通話機能を有する相手端末とを備える
ことを特徴とする通話システム。
【請求項１３】
前記通話装置は、インターホン親機であり、
前記相手端末は、集合住宅の共用スペースに設けられるロビーインターホン、または玄関に設けられる玄関子機、または管理室に設けられる管理室親機である
ことを特徴とする請求項１２記載の通話システム。
【請求項１４】
コンピュータを、請求項１〜１１のうちいずれか１項に記載の通話装置として機能させるためのプログラム。
【発明の詳細な説明】
【技術分野】
【０００１】
本発明は、一般に通話装置、通話システム、プログラム、より詳細には相手端末との通話機能を有する通話装置、この通話装置を用いた通話システム、およびコンピュータを通話装置として機能させるためのプログラムに関する。
【背景技術】
【０００２】
従来、通話装置を用いた通話システムとして、住戸内に設置された親機（通話装置）と、住戸玄関に設置された子機（相手端末）とを備えたインターホンシステムがある（例えば、特許文献１参照）。特許文献１に記載のインターホンシステムでは、親機の周囲の環境（設置環境）に応じて親機の通話パラメータを変更するという構成を備えている。
【先行技術文献】
【特許文献】
【０００３】
【特許文献１】特開２００８−３５０４９号公報
【発明の概要】
【発明が解決しようとする課題】
【０００４】
しかし、親機と子機との通話の品質には、親機の設置環境だけでなく、子機の設置環境も影響を及ぼす。したがって、相手端末である子機の周囲の環境によって、通話品質が低下するおそれがあるという問題があった。
【０００５】
本発明は、上記事由に鑑みてなされており、その目的は、相手端末の周囲の環境による通話品質の低下を抑制することができる通話装置、これを用いた通話システム、およびコンピュータを通話装置として機能させるプログラムを提供することにある。
【課題を解決するための手段】
【０００６】
本発明の通話装置は、相手端末との通話機能を有する通話部と、前記相手端末の周囲の環境を表す環境情報を取得する環境取得部と、前記環境情報に基づいて、複数の通話パラメータの中から前記通話部に適用する通話パラメータを選択する選択部と、前記相手端末の記憶部に格納された前記複数の通話パラメータの中から前記選択部が選択した通話パラメータを取得するパラメータ取得部と、を備えることを特徴とする。
【０００７】
本発明の通話システムは、前記通話装置と、前記通話装置との通話機能を有する相手端末とを備えることを特徴とする。
【０００８】
本発明のプログラムは、コンピュータを、前記通話装置として機能させる。
【発明の効果】
【０００９】
本発明では、相手端末の周囲の環境による通話品質の低下を抑制することができるという効果がある。
【図面の簡単な説明】
【００１０】
【図１】実施形態における通話装置、通話システムのブロック図である。
【図２】実施形態における通話装置の要部のブロック図である。
【図３】実施形態における通話パラメータの選択処理のフローチャートである。
【図４】実施形態における通話パラメータの選択処理のフローチャートである。
【図５】実施形態における通話装置の変形例のブロック図である。
【図６】実施形態における通話装置、通話システムの変形例のブロック図である。
【図７】実施形態における通話装置の変形例のブロック図である。
【発明を実施するための形態】
【００１１】
以下、本発明の実施の形態を図面に基づいて説明する。
（実施形態）
図１に、本実施形態の通話装置１０、および通話システム１のブロック構成図を示す。通話装置１０は、相手端末２０側にいるユーザとの通話を行うための装置であり、通話システム１は、通話装置１０と相手端末２０とを備えて構成されている。
【００１２】
本実施形態では、マンション等の集合住宅に設けられるいわゆるインターホンシステムを通話システム１の例として説明する。また、通話装置１０は、集合住宅の住戸内に設けられたいわゆるインターホン親機であり、通話装置１０側のユーザを住人として説明する。また、相手端末２０は、集合住宅の共用部（例えばロビー等）に設けられたいわゆるロビーインターホンであり、相手端末２０側のユーザを来訪者として説明する。
【００１３】
なお、図１では、１つの相手端末２０に対して、信号線３０を介して電気的に接続された１つの通話装置１０のみを図示しているが、実際は集合住宅の各住戸に通話装置１０が設けられており、１つの相手端末２０に対して複数の通話装置１０が接続される。また、本実施形態における通話装置１０と相手端末２０との間の通信方式は、信号線３０を用いた有線方式であるが、この方式に限定せず、電波を伝送媒体に用いる無線方式、または有線方式と無線方式とを組み合わせた方式であってもよい。
【００１４】
以下に、本実施形態の通話装置１０、および通話システム１の詳細な構成について説明する。
【００１５】
まず、本実施形態における相手端末２０（ロビーインターホン）の構成について説明する。相手端末２０は、ロビーにいる来訪者が住戸内の住人を呼び出し、この住人と通話を行うための装置である。本実施形態の相手端末２０は、接続部２１、操作部２２、通話部２３、カメラ２４、制御部２５、記憶部２６、および電源部２７を備えている。
【００１６】
接続部２１は、通信インターフェースであり、電気的に接続された信号線３０を介して通話装置１０（インターホン親機）との間で電気信号の授受（通信）を行う。
【００１７】
操作部２２は、押しボタンスイッチ、タッチパネル等で構成されており、来訪者は、この操作部２２を用いて住戸の部屋番号などを入力する住人の呼び出し操作を行う。
【００１８】
通話部２３は、相手端末２０側の音（来訪者の音声）を電気信号に変換するマイク２３１と、電気信号に変換された通話装置１０側の音（住人の音声）を再生（電気信号を音に変換）するスピーカ２３２とを備えている。さらに、通話部２３は、マイク２３１で生成された電気信号、およびスピーカ２３２に出力する電気信号を信号処理する信号処理部２３３を備えている。信号処理部２３３は、第１処理部２３４と第２処理部２３５とを備えている。第１処理部２３４は、マイク２３１で生成された電気信号をアナログ信号からデジタル信号に変換（Ａ／Ｄ変換）し、このデジタル信号で搬送波を変調したデジタル変調信号を生成する。そして、第１処理部２３４は、デジタル変調信号を、信号線３０を介して通話装置１０に送信する。第２処理部２３５は、信号線３０を介して受信したデジタル変調信号を復調し、デジタル信号をアナログ信号に変換（Ｄ／Ａ変換）する。そして、第２処理部２３５は、アナログの電気信号をスピーカ２３２に出力する。すなわち、通話部２３は、音（音声）と、信号線３０を介して授受される電気信号とを相互変換することで、来訪者と住人との通話（ハンズフリー通話）を可能にする。なお、本実施形態では、通話装置１０と相手端末２０との間で送受信される電気信号の形態としてデジタル変調信号を用いているが、この形態に限定しない。例えば、電気信号の形態として、ＡＭ（Amplitude Modulation）変調、ＦＭ（Frequency Modulation）変調などを用いたアナログ変調信号、または無変調のアナログ信号であってもよい。
【００１９】
カメラ２４は、来訪者の姿、ロビーの様子などを撮影しており、撮影した映像を信号線３０を介して通話装置１０に出力する。
【００２０】
制御部２５は、ＣＰＵ（Central Processing Unit）で構成されており、記憶部２６（メモリ）に格納されたプログラムを実行することで、相手端末２０が備える各構成要素の機能を実現する。
【００２１】
電源部２７は、商用電源と電気的に接続されており、商用電源からの供給電力を用いて、相手端末２０を稼働させる電力を生成する。
【００２２】
来訪者は、このように構成された相手端末２０を用いて、住戸内の住人を呼び出し、この呼び出しに応答した住人との通話を行う。
【００２３】
次に、本実施形態における通話装置１０（インターホン親機）の構成について説明する。通話装置１０は、住戸内の壁などに設けられており、相手端末２０（ロビーインターホン）からの呼び出しに応答して、相手端末２０側にいる来訪者と通話を行うための装置である。本実施形態の通話装置１０は、接続部１１、操作部１２、通話部１３、表示部１４、制御部１５、記憶部１６、および電源部１７を備えている。
【００２４】
接続部１１は、通信インターフェースであり、電気的に接続された信号線３０を介して相手端末２０との間で電気信号の授受（通信）を行う。
【００２５】
操作部１２は、押しボタンスイッチ、タッチパネル等で構成されている。住人は、この操作部１２を用いて相手端末２０からの呼び出しの応答操作、通話の終了操作、さらには通話装置１０の設定の入力操作などを行う。
【００２６】
通話部１３は、通話装置１０側の音（住人の音声）を電気信号に変換するマイク１３１と、電気信号に変換された相手端末２０側の音（来訪者の音声）を再生（電気信号を音に変換）するスピーカ１３２とを備えている。さらに、通話部１３は、マイク１３１で生成された電気信号、およびスピーカ１３２に出力する電気信号を信号処理する信号処理部１３３を備えている。信号処理部１３３は、第１処理部１３４と第２処理部１３５とを備えている。第１処理部１３４は、マイク１３１で生成された電気信号をアナログ信号からデジタル信号に変換（Ａ／Ｄ変換）し、このデジタル信号で搬送波を変調したデジタル変調信号を生成する。そして、第１処理部１３４は、信号線３０を介して相手端末２０に送信する。第２処理部１３５は、信号線３０を介して受信したデジタル変調信号を復調し、デジタル信号をアナログ信号に変換（Ｄ／Ａ変換）する。そして、第２処理部１３５は、アナログの電気信号をスピーカ１３２に出力する。すなわち、通話部１３は、音（音声）と、信号線３０を介して授受される電気信号とを相互変換することで、住人と来訪者との通話（ハンズフリー通話）を可能にする。さらに、通話部１３は、送話と受話とを切り替えるボイススイッチ、受話音声からエコーを除去するエコーキャンセラを備えている。また、相手端末２０からの呼び出しが発生した場合、この呼び出しを住人に知らせる呼び出し音がスピーカ１３２から出力される。
【００２７】
表示部１４は、液晶ディスプレイなどで構成されている。相手端末２０からの呼び出しが発生した場合、表示部１４には、相手端末２０に設けられたカメラ２４で撮影された映像、住人の呼び出しを示すメッセージなどが表示される。また、表示部１４は、通話装置１０の設定項目、設定状態などを表示するためにも用いられる。
【００２８】
制御部１５は、ＣＰＵ（Central Processing Unit）で構成されており、記憶部１６（メモリ）に格納されたプログラムを実行することで、通話装置１０が備える各構成要素の機能を実現する。
【００２９】
電源部１７は、商用電源と電気的に接続されており、商用電源からの供給電力を用いて、通話装置１０を稼働させる電力を生成する。
【００３０】
住人は、このように構成された通話装置１０を用いて、来訪者の姿を確認し、相手端末２０からの呼び出しに応答して来訪者との通話を行う。
【００３１】
ここで、相手端末２０（ロビーインターホン）の周囲の環境（設置環境）に応じて、相手端末２０の通話部２３の入出力特性（スピーカ２３２の出力特性、マイク２３１の入力特性）、相手端末２０の周囲における音響特性、騒音などの音環境が異なる。本実施形態における相手端末２０の周囲の環境とは、相手端末２０が設置されている空間の環境、相手端末２０の取付環境などを示す。
【００３２】
相手端末２０が設置されている空間の環境とは、相手端末２０が設置されている空間が、扉の内側の閉ざされた空間であるか、あるいは扉の外側の開放された空間であるか、さらにはその空間の大きさ、空間を形成する材質などを示す。例えば、相手端末２０がロビーに設置されている場合、ロビーの形状、広さ、天井の高さ、さらには天井、壁、床の材質などが、相手端末２０が設置されている空間の環境を示す情報の１つとして扱われる。さらに、相手端末２０の周囲における騒音の有無、騒音の大きさなどの情報も、相手端末２０が設置されている空間の環境を示す情報の１つとして扱われる。
【００３３】
また、相手端末２０の取付環境とは、相手端末２０が設置される場所、相手端末２０の設置方法、相手端末２０が有する化粧パネルの種類、モール配線の有無などを示す。相手端末２０が設置される場所の例として、壁の他、壁や床に対して傾斜した傾斜面を有し、この傾斜面に相手端末２０が来訪者の顔と対向するように設置される斜め台座などがある。また、相手端末２０の設置方法として、相手端末２０が壁などに埋め込まれ相手端末２０の正面のみが露出するように設置される埋込設置、相手端末２０の全体が壁などから露出するように設置される露出設置などがある。これらの壁への設置方法、および壁の材質、さらには壁が中空か中実であるかを示す壁の状態などの情報が、相手端末２０の取付環境を示す情報の１つとして扱われる。また、相手端末２０を埋込設置する場合、壁と相手端末２０とを固定する埋込ボックスの使用の有無も、相手端末２０の取付環境を示す情報の１つとして扱われる。
【００３４】
なお、上述した相手端末２０の周囲の環境は一例であり、相手端末２０の通話部２３の入出力特性、相手端末２０の周囲における音環境に影響を及ぼす要素が含まれていればよく、上記に限定しない。
【００３５】
上述したように、相手端末２０の周囲の環境（設置環境）には様々な状態がある。そして、相手端末２０の周囲の環境毎に、相手端末２０の通話部２３の入出力特性、相手端末２０の周囲における音響特性、騒音などの音環境が異なる。例えば、相手端末２０が屋内に設置されている場合と、屋外に設置されている場合とでは、相手端末２０の周囲における音響特性が異なる。また、相手端末２０が壁に埋込設置されている場合と、露出設置されている場合とでは、相手端末２０のスピーカ２３２の出力特性が異なる。さらには、相手端末２０の周囲における騒音が大きい場合、通話装置１０からの送話音量が小さいと来訪者は住人の声が聞こえづらくなる。このように、相手端末２０の周囲に環境が、通話装置１０と相手端末２０との通話品質に影響を及ぼす。
【００３６】
そこで、本実施形態の通話装置１０は、相手端末２０の周囲の環境に基づいた通話パラメータを通話部１３に適用することで、相手端末２０の周囲の環境による通話品質の低下の抑制を図る。ここでいう通話パラメータとは、ボイススイッチの切り替えの音量レベル閾値、トータルゲイン、アイドル時ゲイン、送受話音量の補正値、エコーキャンセラの適応フィルタの次数などを示す。
【００３７】
本実施形態の通話装置１０は、相手端末２０の周囲の環境による通話品質の低下の抑制を図るために、以下の構成を備えている。本実施形態の通話装置１０は、図１、図２に示すように、信号生成部１８、推定部１５１、環境取得部１５４、選択部１５５をさらに備え、相手端末２０の周囲の環境（設置環境）に基づいて、通話部１３に適用する通話パラメータを選択する。
【００３８】
信号生成部１８は、所定のテスト信号を生成しており、信号線３０を介して相手端末２０にテスト信号を送信し、このテスト信号を受信した相手端末２０のスピーカ２３２から所定のテスト音を出力させる。本実施形態では、インパルス信号をテスト信号に用いている。
【００３９】
推定部１５１は、比較部１５２と処理部１５３とを備えており、相手端末２０のスピーカ２３２から出力されマイク２３１に回り込む音（テスト音）である回り込み音に基づいて、相手端末２０の周囲の環境を推定する推定処理を行う。なお、図２において、破線矢印Ｙ１は、相手端末２０のスピーカ２３２から出力されマイク２３１に回り込む回り込み音を示し、実線矢印Ｙ２，Ｙ３は、音声信号の伝達方向を示している。
【００４０】
比較部１５２は、信号生成部１８が生成したテスト信号と、相手端末２０のマイク２３１に入力されたテスト音を電気信号に変換した回り込み信号とを比較する。すなわち、相手端末２０のスピーカ２３２から出力されるテスト音と、マイク２３１に回り込むテスト音（回り込み音）とを比較する。そして、比較部１５２は、相手端末２０のスピーカ２３２とマイク２３１との間における音響結合の利得（音響結合利得）、およびインパルス応答時間を求める。さらに、比較部１５２は、相手端末２０のマイク２３１に入力された音からテスト音を除去することで、相手端末２０の周囲における騒音（周囲雑音）を抽出し、この騒音の音量レベルを求める。具体的には、比較部１５２は、相手端末２０のマイク２３１に入力された音が変換された電気信号から、回り込み信号を除去した信号のピーク値に基づいて、相手端末２０の周囲における騒音の音量レベルを求める。
【００４１】
処理部１５３は、比較部１５２の比較結果（音響結合利得、インパルス応答時間、騒音の音量レベル）に基づいて、相手端末２０の周囲の環境を推定する推定処理を実行する。具体的には、処理部１５３は、音響結合利得に基づいて、相手端末２０の通話部２３の入出力特性にどのような影響を及ぼす環境であるかを推定する。例えば、音響結合利得の値が閾値以上である場合、処理部１５３は、相手端末２０の周囲における環境が、回り込み音が生じやすい環境であると推定する。また、処理部１５３は、インパルス応答時間に基づいて、相手端末２０の周囲における音響特性にどのような影響を及ぼす環境であるかを推定する。例えば、インパルス応答時間の値が閾値以上である場合、処理部１５３は、相手端末２０の周囲における環境が、残響が大きい環境であると推定する。また、処理部１５３は、騒音の音量レベルに基づいて、相手端末２０の周囲において、どのような大きさの騒音が発生している環境であるかを推定する。
【００４２】
環境取得部１５４は、上記推定処理によって推定された相手端末２０の周囲の環境を表す環境情報（相手端末２０の通話部２３の入出力特性、相手端末２０の周囲における音響特性、騒音の大きさなど）を取得する。
【００４３】
また、本実施形態の記憶部１６は、相手端末２０の周囲における様々な環境に対応した複数の通話パラメータを格納している。
【００４４】
選択部１５５は、環境取得部１５４が取得した環境情報に基づいて、記憶部１６に格納された複数の通話パラメータの中から相手端末２０の周囲の環境に適した通話パラメータを選択する。そして、選択部１５５が選択した通話パラメータが通話部１３に適用される。
【００４５】
また、通話部１３に適用中の通話パラメータを、表示部１４に表示することができる。すなわち、本実施形態の表示部１４は、通話部１３に適用されている通話パラメータを提示する提示部としても機能する。例えば、ユーザが操作部１２を用いて、通話パラメータの確認操作を行うことで、現在適用中の通話パラメータが表示部１４に表示される。これにより、ユーザは、通話パラメータの選択に誤りがないかを確認することができる。このとき、相手端末２０の周囲の環境を表す環境情報も合わせて表示されることが望ましい。なお、通話パラメータの提示方法は、上記に限定せず、例えば音声を用いて、通話部１３に適用されている通話パラメータが提示される構成であってもよい。
【００４６】
次に、テスト信号の送信から通話パラメータの選択までの処理（通話パラメータの選択処理）の一例を、図３、図４に示すフローチャートを用いて説明する。
【００４７】
まず、図３に示すフローチャートを用いて、通話パラメータの選択処理の第１の例について説明する。
【００４８】
本実施形態では、ユーザによる操作部１２の操作によって、通話パラメータの選択処理が開始される。なお、操作部１２の操作の例として、表示部１４に設定画面を表示させ、この設定画面から「通話パラメータの選択」という項目を選択するという操作によって、通話パラメータの選択処理が開始される。または、操作部１２を構成する所定の複数のボタンを同時押しすることで、通話パラメータの選択処理が開始されるように構成されていてもよい。
【００４９】
通話パラメータの選択処理が開始されると、まず信号生成部１８からテスト信号が送信され、相手端末２０のスピーカ２３２からテスト音が出力される（Ｓ１）。そして、相手端末２０のスピーカ２３２から出力されたテスト音がマイク２３１に回り込む。
【００５０】
次に、推定部１５１の比較部１５２が、テスト信号と回り込み信号とを比較する（Ｓ２）。そして、処理部１５３が、比較部１５２の比較結果に基づいて、相手端末２０の周囲の環境を推定する推定処理を実行する。本例では、処理部１５３は、回り込み信号の振幅、すなわち音響結合利得の値と所定の閾値とを比較することで、相手端末２０の周囲の環境が、相手端末２０の通話部２３の入出力特性にどのような影響を及ぼす環境であるかを推定する（Ｓ３）。
【００５１】
回り込み信号の振幅が閾値以上である場合（Ｓ３のＹｅｓ）、処理部１５３は、相手端末２０の周囲の環境が、回り込み音が生じやすい環境であると推定する。環境取得部１５４は、推定部１５１によって推定された相手端末２０の周囲の環境を表す情報（環境情報）を取得する。
【００５２】
そして、選択部１５５は、環境取得部１５４が取得した環境情報に基づいて、記憶部１６に格納された複数の通話パラメータの中から相手端末２０の周囲の環境に適した通話パラメータを選択する。本例では、選択部１５５は、通話部１３が備えるボイススイッチの受話側の感度が現在よりも下がる、言い換えれば、ボイススイッチが受話側の経路に損失を挿入する音量レベルの閾値が現在よりも高くなる通話パラメータを選択する（Ｓ４）。すなわち、選択部１５５は、回り込み音が生じやすい環境に適した通話パラメータを、記憶部１６に格納された複数の通話パラメータの中から選択する。そして、通話部１３に適用される通話パラメータが、選択部１５５が選択した通話パラメータに更新される。これにより、相手端末２０のスピーカ２３２から出力される住人の音声の回り込みによって、通話部１３のボイススイッチが送話側の経路に損失を挿入、すなわち通話装置１０が送話モードから受話モードに切り替わることが防止される。したがって、通話が途切れる受話ブロッキングを抑制することができ、通話品質の低下を抑制することができる。
【００５３】
また、ステップＳ３において、回り込み信号の振幅が閾値未満である場合（Ｓ３のＮｏ）、処理部１５３は、相手端末２０の周囲の環境が、相手端末２０の通話部２３の入出力特性が所望レベルを満足する環境であると推定する。そのため、通話パラメータの更新が行われず、現在適用されている通話パラメータが維持される。
【００５４】
次に、図４に示すフローチャートを用いて、通話パラメータの選択処理の第２の例について説明する。
【００５５】
通話パラメータの選択処理が開始されると、まず信号生成部１８からテスト信号が送信され、相手端末２０のスピーカ２３２からテスト音が出力される（Ｓ１１）。そして、相手端末２０のスピーカ２３２から出力されたテスト音が、マイク２３１に回り込む。
【００５６】
次に、推定部１５１の比較部１５２が、テスト信号と回り込み信号とを比較する（Ｓ１２）。そして、処理部１５３が、比較部１５２の比較結果に基づいて、相手端末２０の周囲の環境を推定する推定処理を実行する。本例では、処理部１５３は、比較部１５２の比較結果の１つであるインパルス応答時間を所定の閾値とを比較することで、相手端末２０の周囲の環境が、相手端末２０の音響特性にどのような影響を及ぼす環境であるかを推定する（Ｓ１３）。
【００５７】
インパルス応答時間が閾値以上である場合（Ｓ１３のＹｅｓ）、処理部１５３は、相手端末２０の周囲の環境が、残響が大きい環境であると推定する。環境取得部１５４は、推定部１５１によって推定された相手端末２０の周囲の環境を表す情報（環境情報）を取得する。
【００５８】
そして、選択部１５５は、環境取得部１５４が取得した環境情報に基づいて、記憶部１６に格納された複数の通話パラメータの中から相手端末２０の周囲の環境に適した通話パラメータを選択する。本例では、選択部１５５は、通話部１３が備えるエコーキャンセラの適応フィルタの次数が現在よりも大きい通話パラメータを選択する（Ｓ１４）。すなわち、選択部１５５は、残響が大きい環境に適した通話パラメータを、記憶部１６に格納された複数の通話パラメータの中から選択する。そして、通話部１３に適用される通話パラメータは、選択部１５５が選択した通話パラメータに更新される。これにより、相手端末２０の周囲の環境が、残響が大きい環境であっても、通話音声の残響を効果的に除去することができ、通話品質の低下を抑制することができる。
【００５９】
また、ステップＳ１３において、インパルス応答時間が閾値未満である場合（Ｓ１３のＮｏ）、処理部１５３は、相手端末２０の周囲の環境が、音響特性が所望レベルを満足する環境であると推定する。そのため、通話パラメータの更新が行われず、現在適用されている通話パラメータが維持される。
【００６０】
このように、本実施形態の通話装置１０は、上述した通話パラメータの選択処理によって、相手端末２０の周囲の環境に適した通話パラメータが、複数の通話パラメータの中から選択されて通話部１３に適用される。したがって、相手端末２０の周囲の環境による通話品質の低下を抑制することができる。
【００６１】
なお、上述した通話パラメータの選択処理は一例であり、上記に限定されない。例えば、相手端末２０の周囲における騒音の大きさが閾値以上である場合、送話音量を増加させる通話パラメータが選択される。これにより、相手端末２０のスピーカ２３２から出力される住人の音声が大きくなり、来訪者は、住人の声を聞きやすくなる。
【００６２】
また、上述した通話パラメータの選択処理では、１つの環境情報に基づいて通話パラメータが選択されているが、この構成に限定されない。選択部１５５は、推定部１５１の推定処理により得られる複数の環境情報（例えば、相手端末２０の通話部２３の入出力特性、相手端末２０の周囲における音響特性、騒音の大きさなど）を総合的に判断し、通話パラメータを選択するように構成されていてもよい。
【００６３】
また、本実施形態では、通話パラメータの選択処理は、ユーザによる操作部１２の操作によって開始されるように構成されているが、自動的に開始されるように構成されていてもよい。例えば、タイマー機能、時計機能などを用いて、所定の周期、または所定の時刻に通話パラメータの選択処理が実行されるように構成する。これにより、相手端末２０の周囲の環境に変化が生じた場合であっても、この変化後の環境に適した通話パラメータが通話部１３に適用され、通話品質の低下を抑制することができる。
【００６４】
また、通話部１３は、所定の通話パラメータが初期値として予め適用されていることが好ましい。この初期値は、相手端末２０の周囲の環境に関わらず標準的な通話品質が確保される通話パラメータである。これにより、通話パラメータの選択処理が未実行である場合においても、標準的な通話品質を確保することができる。そして、上述した通話パラメータの選択処理が実行されることによって、通話部１３に適用される通話パラメータが初期値から選択部１５５が選択した通話パラメータに変更され、通話品質を向上させることができる。なお、通話パラメータの選択処理の実行後においても、初期値を再設定が可能、言い換えれば通話部１３に適用される通話パラメータのリセット処理が実行可能に構成されることが好ましい。
【００６５】
なお、本実施形態では通話装置１０がインターホン親機を構成し、相手端末２０がロビーインターホンを構成する場合を例に説明したが、この構成に限定しない。例えば、相手端末２０が、玄関の壁や門柱に設けられる玄関子機、集合住宅の管理人室に設けられる管理室親機、またはインターホン親機とは別室に設けられる副親機を構成していてもよい。さらには、通話装置１０が、ロビーインターホン、玄関子機、管理室親機、副親機を構成していてもよい。
【００６６】
また、通話装置１０に複数の相手端末２０が接続される場合、例えば、インターホン親機である通話装置１０に、ロビーインターホン、玄関子機、管理室親機それぞれが相手端末２０として接続される場合、相手端末２０ごとにその周囲の環境が大きく異なる。このように通話装置１０と複数の相手端末２０とを備えた通話システム１を構成する場合、通話装置１０は、通話先の相手端末２０ごとに適用する通話パラメータを変更するように構成される。
【００６７】
通話装置１０は、相手端末２０の周囲の環境を表す環境情報を相手端末２０ごとに取得し、それぞれの相手端末２０の周囲の環境に適した通話パラメータを選択し、この通話パラメータと相手端末２０とを対応付けて記憶部１６に格納する。そして、通話先の相手端末２０に応じて、この相手端末２０に対応付けられた通話パラメータを記憶部１６から取得して通話部１３に適用する。例えば、通話装置１０（インターホン親機）の通話先の相手端末２０がロビーインターホンである場合、ロビーインターホンの周囲の環境に適した通話パラメータが通話部１３に適用される。また、通話装置１０（インターホン親機）の通話先の相手端末２０がドアホン子機である場合、ドアホン子機の周囲の環境に適した通話パラメータが通話部１３に適用される。このように、通話装置１０は、通話先の相手端末２０ごとに相手端末２０の周囲の環境に適した通話パラメータに変更することで、通話先の相手端末２０がいずれであっても、その周囲の環境による通話品質の低下を抑制することができる。
【００６８】
また、本実施形態では、通話装置１０、通話システム１が、集合住宅に設けられる構成を例に説明したが、通話装置１０、通話システム１は、戸建住宅に設けられる構成であってもよい。また、通話システム１の利用は、インターホンシステムに限定せず、他のシステム（例えば、構内の内線通話システムなど）にも適用可能である。
【００６９】
以上説明したように、本実施形態の通話装置１０は、通話部１３と、環境取得部１５４と、選択部１５５とを備える。通話部１３は、相手端末２０との通話機能を有する。環境取得部１５４は、相手端末２０の周囲の環境を表す環境情報を取得する。選択部１５５は、環境情報に基づいて、複数の通話パラメータの中から通話部１３に適用する通話パラメータを選択する。
【００７０】
また、本実施形態の通話システム１は、上記通話装置１０と、通話装置１０との通話機能を有する相手端末２０とを備える。
【００７１】
すなわち、本実施形態の通話装置１０、通話システム１は、相手端末２０の周囲の環境を表す環境情報に基づいて、相手端末２０の周囲の環境に適した通話パラメータが、複数の通話パラメータの中から選択されて通話部１３に適用される。したがって、本実施形態の通話装置１０、通話システム１では、相手端末２０の周囲の環境による通話品質の低下を抑制することができる。
【００７２】
また、本実施形態の通話システム１において、通話装置１０は、インターホン親機であり、相手端末２０は、集合住宅の共用スペースに設けられるロビーインターホン、または玄関に設けられる玄関子機、または管理室に設けられる管理室親機である。相手端末２０の周囲の環境は、設置される集合住宅の形態、さらには相手端末２０の種類によって様々な状態が考えられるが、インターホン親機である通話装置１０は、相手端末２０の周囲の環境に適した通話パラメータが通話部１３に適用される。したがって、本実施形態の通話システム１では、集合住宅の形態、相手端末２０の種類に関わらず、通話品質の低下を抑制することができる。
【００７３】
また、本実施形態の通話装置１０は、選択部１５５に通話パラメータの選択を実行させる操作部１２を備えている。すなわち、ユーザによる操作部１２の操作によって、通話パラメータの選択処理が実行される。この構成によって、ユーザは、任意のタイミング（例えば、通話装置１０および相手端末２０を設置する施工時）で、通話パラメータの選択処理を実行させることができる。
【００７４】
また、本実施形態の通話装置１０は、通話部１３に適用されている通話パラメータを提示する提示部（表示部１４）を備えている。この構成によって、ユーザは、通話パラメータの選択に誤りがないかを確認することができる。
【００７５】
また、本実施形態の通話部１３は、所定の通話パラメータが初期値として予め適用されており、選択部１５５は、選択した通話パラメータに変更する。この構成によって、通話装置１０は、通話パラメータの選択処理が未実行である場合においても、標準的な通話品質を確保することができる。そして、通話パラメータの選択処理が実行されることで、通話品質を向上させることができる。
【００７６】
また、本実施形態の通話装置１０は、相手端末２０のスピーカ２３２から出力されて相手端末２０のマイク２３１に回り込む回り込み音に基づいて、相手端末２０の周囲の環境を推定する推定処理を行う推定部１５１を備える。そして、環境取得部１５４は、推定部１５１から環境情報を取得する。この構成によって、通話装置１０は、相手端末２０の周囲の環境を推定して環境情報を取得するので、ユーザが環境情報を入力する必要がない。したがって、ユーザの手間を省き、容易に相手端末２０の周囲の環境に適した通話パラメータを通話部１３に適用することができる。
【００７７】
さらに、相手端末２０のスピーカ２３２から出力されて相手端末２０のマイク２３１に回り込む回り込み音は、所定のテスト音である。すなわち、推定部１５１は、既知のテスト信号（本実施形態では、インパルス信号）を用いて、相手端末２０の周囲の環境を推定する推定処理を行う。したがって、テスト信号と回り込み信号との比較処理が容易となり、相手端末２０の周囲の環境を推定する精度を向上させることができる。
【００７８】
次に、本実施形態の通話装置１０の変形例について説明する。
【００７９】
推定部１５１は、複数回のテスト音に基づいて、推定処理を行うように構成されていてもよい。例えば、推定部１５１は、テスト音と回り込み音との比較を複数回行い、音響結合利得の平均値が閾値以上である場合に、相手端末２０の周囲の環境が、回り込み音が生じやすい環境であると推定する。または、推定部１５１は、テスト音と回り込み音との比較を複数回行い、音響結合利得が閾値以上である回数が所定回数以上である場合に、相手端末２０の周囲の環境が、回り込み音が生じやすい環境であると推定する。このような構成によって、テスト音と回り込み音との比較を複数回行われるので、推定部１５１による相手端末２０の環境を推定する推定処理の精度を向上させることができる。さらに、推定部１５１は、相手端末２０の周囲における騒音の時間変化も推定することができ、騒音の発生が一時的であるか、定常的であるかも把握することができる。
【００８０】
また、推定部１５１は、相手端末２０のマイク２３１に入力される回り込み音以外の音の音量レベルが閾値未満である場合、推定処理を行うように構成されていてもよい。このように構成する場合、図５に示すように、通話装置１０は、騒音抽出部１５６を備えることが好ましい。騒音抽出部１５６は、相手端末２０のマイク２３１に入力された音からテスト音を除去することで、相手端末２０の周囲における騒音（周囲雑音）を抽出し、この騒音の音量レベルを求める。そして、騒音抽出部１５６は、求めた騒音の音量レベルと閾値とを比較する。推定部１５１は、騒音の音量レベルが閾値未満である場合、相手端末２０の周囲の環境を推定する推定処理を実行し、騒音の音量レベルが閾値以上である場合、推定処理を実行しない。この構成によって、相手端末２０の周囲における騒音の音量レベルが低い比較的静かな状況で推定処理が実行されるので、推定部１５１による相手端末２０の環境を推定する推定処理の精度を向上させることができる。
【００８１】
さらに、騒音の音量レベルが閾値未満である場合に、通話パラメータの選択処理が実行されるように構成されていてもよい。例えば、所定の周期で騒音抽出部１５６は、相手端末２０の周囲における騒音の音量レベルを求め、この騒音の音量レベルが閾値未満である場合にのみ、通話パラメータの選択処理が実行される。このように構成することによって、相手端末２０の周囲のおける騒音が小さいときにのみ通話パラメータの選択処理が自動的に実行され、相手端末２０のスピーカ２３２からテスト音が不要に出力されることを防止できる。
【００８２】
また、本実施形態では、信号生成部１８が生成したインパルス信号からなるテスト信号をスピーカ２３２で再生した音をテスト音として用いるが、テスト音は、呼び出し音またはバックトーンであってもよい。例えば、住人を呼び出し中であることを知らせるための音であるバックトーンをテスト音として用いる場合、推定部１５１は、相手端末２０のスピーカ２３２から出力されマイク２３１に回り込むバックトーンに基づいて、相手端末２０の周囲の環境を推定する。すなわち、通話装置１０は、住人の呼び出し中に、環境情報を取得して通話部１３に適用する通話パラメータを選択する。これにより、通話の開始直前における相手端末２０の周囲の環境に適した通話パラメータを選択することができる。
【００８３】
また、例えば、通話装置１０をインターホン親機、相手端末２０を通話装置１０とは別室に設けられる副親機で構成した場合、通話装置１０から相手端末２０の呼び出しを行うことができる。このような構成の場合、推定部１５１は、相手端末２０のスピーカ２３２から出力される呼び出し音をテスト音として、推定処理を行うことができる。なお、このように構成する場合、通話装置１０は、相手端末２０のスピーカ２３２から出力される呼び出し音の音データを保持し、この音データと回り込み信号とを比較する必要がある。
【００８４】
このように、相手端末２０の周囲の環境を推定する推定処理に用いるテスト音に、呼び出し音またはバックトーンを用いることによって、通話の開始直前における相手端末２０の周囲の環境に適した通話パラメータを選択することができる。これにより、通話品質の低下をより抑制することができる。
【００８５】
また、相手端末２０のスピーカ２３２から出力されて相手端末２０のマイク２３１に回り込む回り込み音は、通話音声であってもよい。通話中において、相手端末２０と話者である来訪者との距離によって、相手端末２０のスピーカ２３２とマイク２３１との間の音響結合利得が変化する。すなわち、相手端末２０と来訪者との距離も、通話品質に影響を与える相手端末２０の周囲の環境の１つとなる。そこで、通話音声の回り込みを用いて推定処理を行うことで、通話中における相手端末２０の周囲の環境に適した通話パラメータを選択することができ、通話品質の低下をより抑制することができる。
【００８６】
また、本実施形態では、通話装置１０が備える記憶部１６に、複数の通話パラメータが格納されているが、変形例として、相手端末２０が備える記憶部２６に、複数の通話パラメータが格納された構成であってもよい。このような構成の場合、図６に示すように、通話装置１０は、相手端末２０の記憶部２６に格納された複数の通話パラメータの中から選択部１５５が選択した通話パラメータを取得するパラメータ取得部１５７をさらに備えることが好ましい。選択部１５５は、相手端末２０の記憶部２６に格納された複数の通話パラメータを参照し、この複数の通話パラメータの中から相手端末２０の環境に適した通話パラメータを選択する。そして、パラメータ取得部１５７は、選択部１５５が選択した通話パラメータを相手端末２０に要求して取得し、この取得した通話パラメータが通話部１３に適用される。このような構成によって、通話装置１０は、相手端末２０の周囲の環境に適した通話パラメータを保持していない場合であっても、相手端末２０から取得して通話部１３に適用することができる。なお、上記例では、パラメータ取得部１５７は、選択部１５５が選択した通話パラメータのみを相手端末２０から取得するように構成されているが、相手端末２０が保持しているすべての通話パラメータを取得して記憶部１６に予め格納しておいてもよい。そして、選択部１５５は、相手端末２０の周囲の環境に適した通話パラメータを、相手端末２０から取得した通話パラメータと、元から記憶部１６に格納されていた通話パラメータとを合わせた複数の通話パラメータの中から選択する。
【００８７】
また、通話装置１０が、電気通信回線（例えばインターネット回線）を介して外部のサーバと通信可能に構成される場合、パラメータ取得部１５７は、この外部のサーバから選択部１５５が選択した通話パラメータを取得するように構成されていてもよい。このような構成によって、より多くの通話パラメータの中から、相手端末２０の環境により適した通話パラメータを選択することができ、通話品質の低下をより抑制することができる。さらに、通話装置１０が備える記憶部１６に格納する通話パラメータの情報量を削減することができ、記憶部１６に低容量のメモリを用いることができる。
【００８８】
また、本実施形態では、相手端末２０の周囲の環境に適した通話パラメータを選択するように構成されているが、変形例として、相手端末２０と自装置（通話装置１０）との両方の環境に適した通話パラメータを選択するように構成されていてもよい。このような構成の場合、図７に示すように、通話装置１０の環境取得部１５４は、第１取得部１５８と第２取得部１５９とを有することが好ましい。第１取得部１５８は、相手端末２０の周囲の環境を表す環境情報である第１環境情報を取得する。第２取得部１５９は、自装置（通話装置１０）の周囲の環境を表す第２環境情報を取得する。そして、選択部１５５は、第１環境情報および第２環境情報の両方に基づいて、複数の通話パラメータの中から通話部１３に適用する通話パラメータを選択する。
【００８９】
本変形例における推定部１５１は、相手端末２０のスピーカ２３２から出力されてマイク２３１に回り込む回り込み音に基づいて相手端末２０の周囲の環境を推定する。さらに、推定部１５１は、通話装置１０のスピーカ１３２から出力されてマイク１３１に回り込む回り込み音に基づいて通話装置１０の周囲の環境を推定する。すなわち、推定部１５１は、相手端末２０の周囲の環境と、通話装置１０の周囲の環境を推定する推定処理を行う。なお、推定部１５１による通話装置１０の周囲の環境を推定する推定処理は、上述した相手端末２０の周囲の環境を推定する推定処理と同様の処理であるので説明を省略する。
【００９０】
そして、第１取得部１５８は、推定部１５１によって推定された相手端末２０の周囲の環境を表す第１環境情報を取得し、第２取得部１５９は、推定部１５１によって推定された自装置（通話装置１０）の周囲の環境を表す第２環境情報を取得する。選択部１５５は、第１取得部１５８が取得した第１環境情報と、第２取得部１５９が取得した第２環境情報との両方に基づいて通話パラメータを選択する。このような構成によって、相手端末２０の周囲の環境と自装置（通話装置１０）の周囲の環境との両環境に適した通話パラメータが選択されるので、通話品質の低下をより抑制することができる。
【００９１】
また、本実施形態では、環境取得部１５４は、相手端末２０の周囲の環境を推定する推定部１５１から環境情報を取得するように構成されているが、変形例としてユーザが入力した環境情報を取得するように構成されていてもよい。このように構成する場合、通話装置１０は、相手端末２０の周囲の環境を表す環境情報を入力するための操作を受け付ける操作部１２を備え、環境取得部１５４は、操作部１２が操作されることで入力された環境情報を取得することが望ましい。上記構成により、ユーザが操作部１２を用いて、通話装置１０に相手端末２０の周囲の環境を表す環境情報を入力することができるので、通話装置１０の構成を簡略化することができる。また、操作部１２を用いた環境情報の入力方法として以下の例がある。操作部１２は、相手端末２０の周囲における音響特性、音響結合利得、回り込み音の大きさ、騒音の大きさなどの項目ごとに例えばｄＢ表記の数値、あるいは現在の値に対して所定値を増加または減少させる入力が可能に構成される。または、操作部１２は、相手端末２０の周囲の環境を表す環境情報の項目（例えば相手端末２０の設置場所が屋内であるか屋外であるか、相手端末２０の設置方法が埋込設置であるか露出設置であるかなど）が選択式に入力可能に構成される。このように操作部１２が環境情報の項目を選択式に入力可能に構成されることによって、ユーザは予め設定された選択項目を選択するのみで環境情報を入力することができるので、環境情報の入力操作を簡易化することができる。
【００９２】
また、上述した例では、専用の装置であるインターホン親機が通話装置１０として構成されているが、この形態に限定せず、コンピュータを上述した通話装置１０として機能させるためのプログラムを用いて実現される形態であってもよい。例えば、スマートフォンやタブレット端末などのコンピュータに、上述した通話装置１０の機能を実現させるためのアプリケーションプログラム（いわゆるアプリ）をインストールする。これにより、スマートフォンやタブレット端末などのコンピュータを、通話装置１０として機能させることができ、相手端末２０の周囲の環境による通話品質の低下を抑制することができる。なお、プログラムは、ＲＯＭ（Read Only Memory）に格納された状態、コンピュータで読取可能な記録媒体に格納された状態などで提供、あるいはインターネットのような電気通信回線を介して提供される。
【００９３】
なお、上述した実施形態は本発明の一例である。このため、本発明は、上述の実施形態に限定されることはなく、この実施形態以外であっても、本発明に係る技術的思想を逸脱しない範囲であれば、設計等に応じて種々の変更が可能であることはもちろんのことである。
【符号の説明】
【００９４】
１  通話システム
１０  通話装置
１３  通話部
１５４  環境取得部
１５５  選択部
２０  相手端末
【図１】
0006399451.tif 000002
【図２】
0006399451.tif 000003
【図３】
0006399451.tif 000004
【図４】
0006399451.tif 000005
【図５】
0006399451.tif 000006
【図６】
0006399451.tif 000007
【図７】
0006399451.tif 000008